(57)【特許請求の範囲】
【請求項１】
合成樹脂製の型物成形品である受け台と該受け台に被着される蓋体からなり、蓋体は受け台に回動可能に取付けられていると共に、その自由端部側は受け台上に締結用ボルトとナットによって締結自在とされ、受け台と蓋体には、蓋体が閉じられたときその対向面部間に通信ケ−ブルの支持孔とメッセンジャ−ワイヤ−の支持孔を連通させて形成できるように、各一対の円弧面部が相対応してそれぞれ設けられており、上記受け台の中央部には前後方向へ向かって貫通したトンネル部を設け、このトンネル部へ開口するようにして受け台の底部中央部分には受け台固定具であるアンカ−ボルトの挿着孔が、また該挿着孔に対向している受け台側の円弧面部には上記アンカ−ボルトへ螺合するナット操作用の窓穴がそれぞれ設けられていることを特徴とする軌道布設用通信ケ−ブルの支持具。
【請求項２】
締結用ボルトは蓋体の自由端部寄りに挿着されている一方、その締結用ボルトが螺合できるナットは受け台に埋め込み状態に固設されていることを特徴とする請求項１記載の軌道布設用通信ケ−ブルの支持具。
【発明の詳細な説明】
【０００１】
【発明の属する技術分野】
本発明は、ＬＣＸ（漏洩同軸ケーブル）を始めとして、リニア実験線や新幹線等の車両軌道に沿って布設される通信ケーブルの支持作業が容易にできるように改良した、軌道布設用通信ケーブルの支持具に関する。
【０００２】
【従来の技術】
従来知られている軌道布設用通信ケーブルの支持具としては、例えば、図７に示すように重合できる受け台２１と蓋体２２からなり、受け台２１と蓋体２２には対向面部間に通信用ケーブルの挿通孔２３とメッセンジャーワイヤーの挿通孔２４を連通させて形成できるようにした各一対の円弧面部２３ａ，２４ａと２３ｂ，２４ｂがそれぞれ相対応して設けられており、その受け台２１と蓋体２２を一対のアンカーボルト２５，２５によって所定個所に固定できるように構成されている。図中、２６は締付け固定用のナットである。
【０００３】
【発明が解決しようとする課題】
上記従来の支持具は受け台２１と蓋体２２が分割構造であるため、先ずアンカーボルト２５，２５に受け台２１を嵌め、ケーブル（図示省略）を受け台２１上に載せて支えた後、蓋体２２をアンカーボルト２５，２５に嵌めて受け台２１に重合し、アンカーボルト２５，２５にナット２６を螺合して締め付け操作をしなければならず、ケーブルの支持作業は煩雑となる。そして、支持具自体の取扱いにも不便となるし、また、コストアップになるという問題があった。本発明はかかる問題を解決したものであって、その目的は、蓋体が受け台に回動可能に連結していて、ケーブルの支持作業が能率的にできるように改良した軌道布設用通信ケーブルの支持具を提供することにある。
【０００４】
【課題を解決すための手段】
上記目的を達成するために、本発明の特徴とする軌道布設用通信ケ−ブルの支持具は、合成樹脂製の型物成形品である受け台と該受け台に被着される蓋体からなり、蓋体は受け台に回動可能に取付けられていると共に、その自由端部側は受け台上に締結用ボルトとナットによって締結自在とされ、受け台と蓋体には、蓋体が閉じられたときその対向面部間に通信ケ−ブルの支持孔とメッセンジャ−ワイヤ−の支持孔を連通させて形成できるように、各一対の円弧面部が相対応してそれぞれ設けられており、上記受け台の中央部には前後方向へ向かって貫通したトンネル部を設け、このトンネル部へ開口するようにして受け台の底部中央部分には受け台固定具であるアンカ−ボルトの挿着孔が、また該挿着孔に対向している受け台側の円弧面部には上記アンカ−ボルトへ螺合するナット操作用の窓穴がそれぞれ設けられている構成である。
【０００５】
この構成において、締結用ボルトは蓋体の自由端部寄りに挿着されている一方、その締結用ボルトが螺合できるナットは受け台に埋め込み状態に固設されており、その実施に際しては蓋体の自由端部は受け台に設けられている段落部に接合できる下向きの係合縁に形成されているのが、蓋体の自由端部と受け台との締結の緊密化を図る上で好ましい。
【０００６】
【発明の実施の形態】
以下に、本発明に係る軌道布設用通信ケーブルの支持具の実施の形態を図面を参照しながら説明する。図１〜図６において、１は受け台、２は受け台１に被着される蓋体であって、この両部材は何れもガラス繊維強化ナイロン等を素材とする合成樹脂製の型物成形品である。蓋体２は受け台１に回動可能に取付けられていると共に、その自由端部２ａ側は受け台１上に締結自在とされ、また、自由端部２ａは受け台１に設けられている段落部１ａに接合できる下向きの係合縁に形成されている。
【０００７】
受け台１と蓋体２には、蓋体２が閉じられたときその対向面部間に通信ケ−ブルの支持孔３とメッセンジャ−ワイヤ−の支持孔４を連通させて形成できるように、大小各一対の円弧面部３ａ，４ａ，３ｂ，４ｂが相対応してそれぞれ設けられており、受け台１の中央部には前後方向へ向かって貫通したトンネル部ａを設け、このトンネル部ａへ開口するようにして受け台１の底部中央部分には後記受け台固定具（アンカ−ボルト）の挿着孔５が、また該挿着孔５に対向している受け台１側の円弧面部３ａには受け台固定具（アンカ−ボルトへ螺合するナット）操作用の窓穴６がそれぞれ設けられている。７は支持孔３と支持孔４の連通部である。
【０００８】
次に、受け台１に対する蓋体２の回動・締結構造について説明する（特に、図１を参照）。先ず、受け台１の円弧面部３ａには外側の縁辺部８側に中間部分を除いて下向きのフック状部９，９が連設され、このフック状部９，９に蓋体２の一端に設けられている軸部１０が下側から掛入しており、蓋体２が回動して開蓋状態になると、蓋体２の背面側に縦設されている補強用リブ（図示省略したが、中央部のリブ）が受け台１の側面部１ｃの中央部分に当接することで、蓋体２を受け台１に回動可能に支持している。
【０００９】
また、蓋体２には自由端部２ａ寄りに位置して締結用ボルト１２を挿着する挿着孔１１が穿設されている一方、受け台１には該締結用ボルト１２が螺合できるナット１３が固設されている。このナット１３は受け台１の成形（インサート成形）時に設けられるもので、１４はその盲孔である。挿着孔１１には、該挿着孔１１に挿着された締結用ボルト１２を一時仮止めするために、締結用ボルト１２のネジ谷部に係入する一対の突起１１ａが相対向した位置に突設されており（図５を参照）、この突起１１ａによってケーブルの支持作業前の開放状態に置かれている蓋体２から締結用ボルト１２の落脱を止できる（図２を参照）。そして、突起１１ａは締結用ボルト１２の螺進動作で容易に破壊されるので、締結用ボルト１２の締め付け操作に支障を与えない。
【００１０】
前述の受け台固定具は、通信ケ−ブルが布設される場所に間隔を置いて予め埋設されているアンカ−ボルト１５と、このアンカ−ボルト１５に螺合させて用いる締め付け固定用のナット１６からなり、先ず、アンカ−ボルト１５を受け台１の装着孔５に挿通して、ナット１６を受け台１の円弧面部３ａに設けられている窓穴６を通してアンカ−ボルト１５に螺合し、ナット１６を締め付ければ、本支持具は簡単に固定できる。次いで、通信ケ−ブルを円弧面部３ａに、メッセンジャ−ワイヤ−を円弧面部３ｂにそれぞれ載せて支え、蓋体２を回動して受け台１上に被着して締結用ボルト１２をナット１３に螺合して締め付ければ、本支持具によって通信ケ−ブルとメッセンジャ−ワイヤ−を強固に支持できる（図３を参照）。
【００１１】
なお、図中、１２ａはワッシャー、１７は挿着孔１１の下側口縁の近くに肉厚く形成されている一対のスペーサーであって、このスペーサー１７は、締結用ボルト１２により蓋体２を締め付けた時、通信ケーブルの過度な締め付けを防止できる部材である。１８は受け台１の四隅部分に理設されている緩衝用のゴム足、１９はナット１６の締め付け後、ナット１６の装着部に挿入される充填材（ゴム等）である。
【００１２】
【発明の効果】
本発明は上記の如くであって、受け台に蓋体が回動可能に連結して構成されているから、梱包や運搬等に至極便利に取扱うことができる。また、蓋体は単に１個の締結具を用いるだけで受け台上に締結できるため、従来のこの種支持具と異なって蓋体の固定操作が容易迅速にでき、ケーブルの支持作業は能率よく行なうことが可能であり、施工が非常に楽になることは勿論、コストダウン化もできるものであって、その実用的価値は多大である。
【図面の簡単な説明】
【図１】本発明の実施の形態を示すもので、一部の構成部材を分離した開蓋状態の斜視図である。
【図２】図１に示すものをケーブルの支持個所に固定したケーブル支持前の正断面図である。
【図３】図２に示すものにケーブルを支持させた閉蓋状態の正断面図である。
【図４】図１に示すものの蓋体の要部正面図である。
【図５】図４の底面図である。
【図６】図４のＡ−Ａ線断面図である。
【図７】従来のケーブル支持具を説明するための正面図である。
【符号の説明】
１は受け台
１ａは段落部
１ｂは底部
２は蓋体
２ａは自由端部
３，４は支持孔
３ａ，４ａ，３ｂ，４ｂは円弧面部
５は挿通孔
６は窓穴
７は連通部
９はフック状部
１０は軸部
１１は挿着孔
１２は締結用ボルト
１３はナット
ａはトンネル部
【図１】
0003728690.tif 000002
【図２】
0003728690.tif 000003
【図３】
0003728690.tif 000004
【図４】
0003728690.tif 000005
【図５】
0003728690.tif 000006
【図６】
0003728690.tif 000007
【図７】
0003728690.tif 000008